(57)【要約】  本発明は、車両用装着装置に関するものである。本発明の一実施例による車両用装着装置は、送風グリルに設置する際に挿入されるように配置されており、上記送風グリルの他側に位置して下部で一側に突出した部分が上記送風グリルに挿入支持され、上部で他側に突出するように備えられた着脱支持部と、上記着脱支持部と相互交差して上下に摺動するように配置されており、上記着脱支持部と摺動するように結合されて一側が上記着脱支持部と対向する上部に上記送風グリルを加圧するように突出され、他側に上記着脱支持部と対向する下部に突出されてスライド結合された一側と他側が互いに対向するように相互交差した形態で備えられた着脱加圧部と、上記着脱支持部と上記着脱加圧部を相互弾性支持するように配置されており、上記着脱支持部と上記着脱加圧部の他側の上下に突出した部分を弾性支持して上記着脱加圧部の一側が上記送風グリルを加圧する加圧力を加える弾性部と、上記着脱加圧部の一側に配置されており、上記着脱加圧部に挿入によって着脱可能に設置されて装着物を装着する装着部とを含むことを特徴とする。
2017504523.tif 000002
【特許請求の範囲】
【請求項１】
車両の送風グリルに設置されて装着物を装着させる車両用装着装置において、
上記送風グリルに装着する際に挿入支持されるように配置されており、上記送風グリルの他側に位置して下部で一側に突出した部分が上記送風グリルに挿入支持され、上部で他側に突出するように備えられた着脱支持部と、
上記着脱支持部と相互交差して上下に摺動するように配置されており、上記着脱支持部と摺動するように結合されて、一側が上記着脱支持部と対向する上部に上記送風グリルを加圧するように突出され、他側の下部に上記着脱支持部と対向する下部に突出してスライド結合され、一側と他側がそれぞれ上記着脱支持部と互いに対向するように交差された形態で備えられる着脱加圧部と、
上記着脱支持部と上記着脱加圧部を相互弾性支持するように配置されており、上記着脱支持部と上記着脱加圧部の他側の上下に突出した部分を弾性支持して上記着脱加圧部の一側が上記送風グリルを加圧させる加圧力を加える弾性部と、
上記着脱加圧部の一側に配置されており、上記着脱加圧部に挿入によって着脱可能に備えられて装着物を装着する装着部とを含むことを特徴とする車両用装着装置。
【請求項２】
上記着脱支持部は、
上記送風グリルに設置する際に一側に配置されており、上記着脱加圧部の内部に挿入されて上下にスライドする支持本体と、
上記支持本体の両側に突出されており、上記支持本体の両側で上記着脱加圧部に挿入されて上下に移動されることを案内するように突出され、他側から一側方向に断面積が縮小されて、上記着脱加圧部に他側から一側に挿入される傾斜形態の突起傾斜部を形成したスライド突起と、
上記支持本体の下部で他側に突出して配置されており、他側方向が開放され、一側と上下が閉鎖されて、上記送風グリルに設置する際に挿入支持される支持空間を有する支持ブラケットと、
上記支持本体の上部で一側に突出して配置されており、上記弾性部の上部に位置して弾性支持されるように備えられ、中央に上記弾性部が挿入されて、上部が固定されるように貫通された弾性挿入孔を有する弾性支持ブラケットと、
上記弾性支持ブラケットの下部方向に突出しており、上記弾性部の外周で上部の一部を囲んで、外部に離脱されることを防止する弾性支持体とを含むことを特徴とする請求項１に記載の車両用装着装置。
【請求項３】
上記支持ブラケットの内部に突出しており、上記支持空間の内部で上下に対向する方向に突出されて、上記送風グリルに挿入する際に突出部分が係止支持されて離脱が防止されるとともに支持力が向上される支持突起をさらに含むことを特徴とする請求項２に記載の車両用装着装置。
【請求項４】
上記着脱加圧部は、
上記送風グリルに設置する際に一側に配置されており、上部が開放され、内部の一部に上記装着部に挿入支持される収納空間を有し、上記収納空間の一側には一部が一側方向に開放されて、上記装着部の連結される部分が挿入される収納挿入溝を有し、下部から上部に一部貫通されて、上記着脱支持部が上下に摺動するように挿入されるスライド空間を有し、上記スライド空間で対向する両側にそれぞれ上下に移動されることを案内するように上記着脱支持部が挿入される溝形態のスライド溝を有し、上記スライド溝には、他側から一側に断面積が拡大されて、上記着脱支持部が他側から一側に挿入設置される際に係止支持する溝傾斜部が形成された加圧本体と、
上記加圧本体の上部で他側に突出しており、上記着脱支持部の他側と対向する上部に位置して、上記加圧本体と一緒に上下に摺動されながら上記弾性部の弾性力により上記送風グリルに挿入されて加圧支持するように備え、下部面には下部が開放され、両側と上部が閉鎖されて、上記送風グリルが挿入される加圧空間を有する加圧ブラケットと、
上記加圧本体の下部で一側に突出しており、上記着脱支持部の一側と対向する下部に位置して、上記加圧本体と一緒に上下に摺動しながら、上記弾性部の下部に弾性支持されて、上記加圧ブラケットを下部に加圧する加圧力が作用するように備えられた加圧作動体と、
上記加圧作動体の上部方向に突出しており、上記弾性部の外周で下部の一部を囲んで、外部に離脱されることを防止する作動ブラケットとを含むことを特徴とする請求項１に記載の車両用装着装置。
【請求項５】
上記弾性部は、
上記着脱支持部と上記着脱加圧部の一側に突出した部分を弾性支持するように配置されており、上記送風グリルに固定される方向である他側に上記着脱支持部が挿入支持された状態でスライド結合された上記着脱加圧部が加圧される加圧力を提供する弾性体と、
上記着脱加圧部の上部に配置されており、上記着脱支持部の一側に突出した部分に締結固定されるように備えられて、上記着脱支持部の一側に挿入される上記弾性体の上部を固定して上記着脱加圧部に上記弾性体の弾性力が作用するように設置される弾性固定体とを含むことを特徴とする請求項１に記載の車両用装着装置。
【請求項６】
上記装着部は、
上記着脱加圧部の一側に配置されており、上記装着部の設置時に、上記着脱加圧部に挿入収納されるように板形態に備えられた装着支持本体と、
上記装着支持本体の一側に配置されており、上記装着支持本体の一側に突出される支持連結バーで連結されて、角度の調節を支持するボール形態に備えられた角度調節ボールと、
上記装着支持本体の一側に配置されており、一側面には上記装着物が装着される装着空間が形成され、他側には上記角度調節ボールの一部が挿入されて角度調整が可能に支持されるボール挿入溝が形成された装着本体と、
上記装着本体の一側面の下部に突出しており、上記装着空間の下部で一側方向に突出されて、上記装着物の装着時に下部を支持するように突出した装着突起と、
上記装着本体の両側に一対にそれぞれ配置されており、上記装着空間で両側にそれぞれ位置して弾性によって間隔を保持しながら、相互連動するように連結設置されて、上記装着物の装着時に両側の中の片方のみ移動して装着する場合、弾性によって間隔が縮小されながら、加圧支持される装着加圧部とを含むことを特徴とする請求項１に記載の車両用装着装置。
【請求項７】
上記装着加圧部は、
上記装着本体の両側に一対に配置されており、上記装着空間の両側にそれぞれ位置して、上記装着物の両側面をそれぞれ加圧支持するように一対で設置される装着加圧体と、
一対の上記装着加圧体の対向する方向から中央に上下に交差するようにそれぞれ突出しており、上記装着本体の他側に位置して上下に対向する方向にそれぞれ作動歯車を備える加圧作動体と、
上記装着本体の他側面の中央に回転可能に配置されており、上下に対向するように交差した上記加圧作動体の上記作動歯車に噛合って一対の上記装着加圧体が連動されながら上記装着物の両側面に加圧される空間を調整するように設置された作動ギアと、
上下に交差した上記加圧作動体の突出した端部にそれぞれ弾性支持されるように配置されており、一対の上記装着加圧体の間隔を弾性力で保持するように、上記装着本体と上記加圧作動体との間を弾性支持して、上記装着物の装着時に使用者の操作で間隔が調節された状態で、弾性支持するように備えられた作動弾性体とを含むことを特徴とする請求項６に記載の車両用装着装置。
【請求項８】
一対の上記装着加圧体は、それぞれ他側から一側方向に断面積が拡大される加圧傾斜部が形成されて、弾性によって上記装着物の両側面を支持する時、一側方向が互いに対向する方向に突出されて上記装着物が一側に離脱されることを防止するように備えられることを特徴とする請求項７に記載の車両用装着装置。
【発明の詳細な説明】
【技術分野】
【０００１】
本発明は、車両用装着装置に関するもので、より詳しくは、車両の送風グリルに使用者の単純な操作によって、堅固で、且つ容易に着脱可能であり、一度の操作で装着が可能で、使用上の便宜性を向上させながら装着強度を増大させることができる車両用装着装置に関するものである。
【背景技術】
【０００２】
一般に、車両は運転者の操作によって所望の目的地まで運行する走行装置で、運転者は目的地に行く経路を熟知した状態で一緒に走行する車両を注視しながら道路の状況に合わせて操作を継続的にしなければならないため、たくさんの注意が必要である。周りをよく見ないで運転をすれば目的地に行く経路を離脱したり、運行している車両や人と衝突する事故が発生する可能性が高くなる。
【０００３】
また、最近には、無線通信の発達により運行中にも携帯電話や各種携帯用ディスプレイ装置が使用可能であり、衛星信号を介して位置が認識されて、車両の運行に必要な経路の情報や道路状況の情報などを運転者に知らせるナビゲーション装置が開発されて広く使用されている。
【０００４】
上述した携帯電話、各種携帯ディスプレイ装置、及びナビゲーション装置などのような装置を車両で使用する場合、運転者が運転しながらも確認することができるように装着装置に装着した状態を保持させ、それにより、運転者の注意力の分散を最小化しながら運転に必要な運行情報と運転者に必要な情報を収集するように設置される。
【０００５】
また、装着装置は、上述した電子機器だけでなく、カップホルダー、芳香剤など車両に多様に設置される機能性装着物を車両の内部に支持されるように備える。
【０００６】
従来技術における車両用装着装置は、車両のダッシュボードに両面接着体を利用して、接着によって装着物を車両に装着させるように備えられる。上述した両面接着体を利用した装着装置は、接着されているダッシュボードが屈曲形に設置されるため、接着時に接着力が低下されることにより急停車または外部に軽い衝撃があっても容易に着脱されるという問題点があった。
【０００７】
特に、装着物が運行中に運転者側に着脱される場合、運転者の注意が分散されたり運転者に物理的な打撃が発生して走行中に事故が発生するという問題点があった。
【０００８】
また、従来技術における両面接着体を利用すれば、接着力が作用していて除去が難しく、除去した後にも接着残渣が残って、車両の内部を汚染させるという問題点があった。
【０００９】
そこで、最近は、外部の空気やエアコンの風またはヒーターの風が送風される送風グリルに嵌め込むクランプ形態に挿入装着される装着装置が開発されて、送風グリルに装着装置を加圧によって着脱することにより、接着方式に比べて着脱が容易で、着脱した後にも残存物が残らなくて汚染度が低下される。
【００１０】
しかしながら、従来技術におけるクランプ形態の装着装置は、嵌合によって装着され、嵌合を解除する力を加えて着脱するため、着脱時に複数の薄いバー形態の送風グリルに大きい力が加えられて破損されるという問題点があった。
また、嵌合によって着脱されるため、嵌め込まれるクランピング力が弱い場合、簡単に着脱が可能であるが、急停車や外部からの衝撃によって着脱されることがあり、クランピング力が強い場合、力の弱い使用者が着脱することが難しいという問題点があった。
【発明の概要】
【発明が解決しようとする課題】
【００１１】
本発明は、上述した問題点を改善するために提案されたもので、本発明が解決しようとする課題は、車両の送風グリルに使用者の単純な操作によって、堅固で、且つ容易に着脱可能であり、一度の操作で装着が可能で、使用上の便宜性を向上させながら装着強度を増大させることができる車両用装着装置を提供することである。
本発明の技術的課題は、以上で言及したことに制限されなく、言及されていない他の技術的課題は、以下の記載から当業者に明確に理解されることができる。
【課題を解決するための手段】
【００１２】
上記課題を達するために、本発明の一実施例による車両用装着装置は、車両の送風グリルに設置されて装着物を装着させる車両用装着装置において、上記送風グリルに装着する際に挿入支持されるように配置されており、上記送風グリルの他側に位置して下部で一側に突出した部分が上記送風グリルに挿入支持され、上部で他側に突出するように備えられた着脱支持部と、上記着脱支持部と相互交差して上下に摺動するように配置されており、上記着脱支持部と摺動するように結合されて、一側が上記着脱支持部と対向する上部に上記送風グリルを加圧するように突出され、他側の下部に上記着脱支持部と対向する下部に突出してスライド結合され、一側と他側がそれぞれ上記着脱支持部と互いに対向するように交差された形態で備えられる着脱加圧部と、上記着脱支持部と上記着脱加圧部を相互弾性支持するように配置されており、上記着脱支持部と上記着脱加圧部の他側の上下に突出した部分を弾性支持して上記着脱加圧部の一側が上記送風グリルを加圧させる加圧力を加える弾性部と、上記着脱加圧部の一側に配置されており、上記着脱加圧部に挿入によって着脱可能に備えられて装着物を装着する装着部とを含むことができることを特徴とする。
【００１３】
また、上記着脱支持部は、上記送風グリルに設置する際に一側に配置されており、上記着脱加圧部の内部に挿入されて上下にスライドする支持本体と、上記支持本体の両側に突出されており、上記支持本体の両側で上記着脱加圧部に挿入されて上下に移動されることを案内するように突出されたスライド突起と、上記支持本体の下部で他側に突出して配置されており、他側方向が開放され、一側と上下が閉鎖されて、上記送風グリルに設置する際に挿入支持される支持空間を有する支持ブラケットと、上記支持本体の上部で一側に突出して配置されており、上記弾性部の上部に位置して弾性支持されるように備えられ、中央に上記弾性部が挿入されて、上部が固定されるように貫通された弾性挿入孔を有する弾性支持ブラケットと、上記弾性支持ブラケットの下部方向に突出しており、上記弾性部の外周で上部の一部を囲んで、外部に離脱されることを防止する弾性支持体とを含むことができることを特徴とする。
【００１４】
また、上記支持ブラケットの内部に突出しており、上記支持空間の内部で上下に対向する方向に突出されて、上記送風グリルに挿入する際に突出部分が係止支持されて離脱が防止されるとともに支持力が向上される支持突起をさらに含むことができることを特徴とする。
【００１５】
また、上記着脱加圧部は、上記送風グリルに設置する際に一側に配置されており、上部が開放され、内部の一部に上記装着部に挿入支持される収納空間を有し、上記収納空間の一側には一部が一側方向に開放されて、上記装着部の連結される部分が挿入される収納挿入溝を有し、下部から上部に一部貫通されて、上記着脱支持部が上下に摺動するように挿入されるスライド空間を有し、上記スライド空間で対向する両側にそれぞれ上下に移動されることを案内するように上記着脱支持部が挿入される溝形態のスライド溝を有する加圧本体と、上記加圧本体の上部で他側に突出しており、上記着脱支持部の他側と対向する上部に位置して、上記加圧本体と一緒に上下に摺動されながら上記弾性部の弾性力により上記送風グリルに挿入されて加圧支持するように備え、下部面には下部が開放され、両側と上部が閉鎖されて、上記送風グリルが挿入される加圧空間を有する加圧ブラケットと、上記加圧本体の下部で一側に突出しており、上記着脱支持部の一側と対向する下部に位置して、上記加圧本体と一緒に上下に摺動しながら、上記弾性部の下部に弾性支持されて、上記加圧ブラケットを下部に加圧する加圧力が作用するように備えられた加圧作動体と、上記加圧作動体の上部方向に突出しており、上記弾性部の外周で下部の一部を囲んで、外部に離脱されることを防止する作動ブラケットとを含むことができることを特徴とする。
【００１６】
また、上記スライド突起は他側から一側方向に断面積が縮小されるように傾斜された突起傾斜部を形成することができ、上記加圧本体の上記スライド突起が挿入される上記スライド溝にも上記突起傾斜部と対応するように他側から一側に断面積が拡大される溝傾斜部を形成することができて、上記支持本体が上記加圧本体にスライド結合される時、上記突起傾斜部と上記溝傾斜部が対応しながら上記スライド突起が他側から一側に上記スライド溝に加圧して直接挿入設置されることができることを特徴とする。
【００１７】
また、上記弾性部は、上記着脱支持部と上記着脱加圧部の一側に突出した部分を弾性支持するように配置されており、上記送風グリルに固定される方向である他側に上記着脱支持部が挿入支持された状態でスライド結合された上記着脱加圧部が加圧される加圧力を提供する弾性体と、上記着脱加圧部の上部に配置されており、上記着脱支持部の一側に突出した部分に締結固定されるように備えられて、上記着脱支持部の一側に挿入される上記弾性体の上部を固定して上記着脱加圧部に上記弾性体の弾性力が作用するように設置される弾性固定体とを含むことができることを特徴とする。
【００１８】
また、上記装着部は、上記着脱加圧部の一側に配置されており、上記装着部の設置時に、上記着脱加圧部に挿入収納されるように板形態に備えられた装着支持本体と、上記装着支持本体の一側に配置されており、上記装着支持本体の一側に突出される支持連結バーで連結されて、角度の調節を支持するボール形態に備えられた角度調節ボールと、上記装着支持本体の一側に配置されており、一側面には上記装着物が装着される装着空間が形成され、他側には上記角度調節ボールの一部が挿入されて角度調整が可能に支持されるボール挿入溝が形成された装着本体と、上記装着本体の一側面の下部に突出しており、上記装着空間の下部で一側方向に突出されて、上記装着物の装着時に下部を支持するように突出した装着突起と、上記装着本体の両側に一対にそれぞれ配置されており、上記装着空間で両側にそれぞれ位置して弾性によって間隔を保持しながら、相互連動するように連結設置されて、上記装着物の装着時に両側の中の片方のみ移動して装着する場合、弾性によって間隔が縮小されながら、加圧支持される装着加圧部とを含むことができることを特徴とする。
【００１９】
また、上記装着加圧部は、上記装着本体の両側に一対に配置されており、上記装着空間の両側にそれぞれ位置して、上記装着物の両側面をそれぞれ加圧支持するように一対で設置される装着加圧体と、一対の上記装着加圧体の対向する方向から中央に上下に交差するようにそれぞれ突出しており、上記装着本体の他側に位置して上下に対向する方向にそれぞれ作動歯車を備える加圧作動体と、上記装着本体の他側面の中央に回転可能に配置されており、上下に対向するように交差した上記加圧作動体の上記作動歯車に噛合って一対の上記装着加圧体が連動されながら上記装着物の両側面に加圧される空間を調整するように設置された作動ギアと、上下に交差した上記加圧作動体の突出した端部にそれぞれ弾性支持されるように配置されており、一対の上記装着加圧体の間隔を弾性力で保持するように、上記装着本体と上記加圧作動体との間を弾性支持して、上記装着物の装着時に使用者の操作で間隔が調節された状態で、弾性支持するように備えられた作動弾性体とを含むことができることを特徴とする。
【００２０】
また、一対の上記装着加圧体は、それぞれ他側から一側方向に断面積が拡大される加圧傾斜部が形成されることができ、弾性によって上記装着物の両側面を支持する時、一側方向が互いに対向する方向に突出されて上記装着物が一側に離脱されることを防止するように備えられることができることを特徴とする。
その他の実施例の具体的な事項は、詳細な説明及び図面に含まれている。
【発明の効果】
【００２１】
本発明の一実施例による車両用装着装置によれば、車両の送風グリルに着脱される部分が互いに交差する二つの部材に弾性力を加えて着脱される部分に間接的な弾性力が伝達されることにより着脱が可能になり、それにより、使用者が小さい力で堅固に送風グリルに着脱するようにして使用上の便宜性を向上させ、急停止や外部の衝撃による着脱が防止されることができる。
【００２２】
また、本発明の車両用装着装置は、互いに交差する二つの部材が交差する位置でスライドされ、スライドされる一側が送風グリルに挿入され、スライドされる他側に弾性体を設置して、スライドされる一側と他側が互いに反対方向に力が作用して他側の弾性による広がり力が一側のクランピング力に変換されて間接的に固定することにより、小さい力で着脱が可能で、使用上の便宜性を向上することができる。
【００２３】
また、本発明の車両用装着装置は、間接弾性によって着脱されるスライドする一側は送風グリルに面接触した状態でクランピングされるように加圧されることにより、装着後に堅固に支持される支持力を向上されることができる。
【００２４】
また、本発明の車両用装着装置は、送風グリルに装着される着脱部分の他側に装着物が支持される装着部が両側面に弾性的に間隔を保持しながら、相互連動される装着支持本体が備えられて、一側の移動で両方が相互連動して間隔が広がった状態で装着物が挿入された後、弾性により間隔が縮小されながら装着物が支持されることにより、一度の作動で容易に装着物を装着することができて、装着作業の容易性を向上させることができる。
【００２５】
また、本発明の車両用装着装置は、装着物が装着される装着支持部分が使用者の操作によって角度が調節された後保持されるように備えられて、運転者が装着物を容易に確認することができて、使用上の便宜性を向上させることができる。
本発明の効果は、以上で言及した効果に限定されず、言及されていない他の効果は特許請求範囲の記載から当業者に明確に理解されることができる。
【図面の簡単な説明】
【００２６】
【図１】本発明の一実施例による車両用装着装置の設置状態を示す一部分解斜視図。
【図２】図１の車両用装着装置の主要部分である着脱支持部と弾性部を示す分解斜視図。
【図３】図１の車両用装着装置の主要部分である着脱加圧部を示す斜視図。
【図４】図３の車両用装着装置の主要部分である着脱加圧部の底面を示す底面斜視図。
【図５】図１の車両用装着装置の主要部分である装着部と装着加圧部の背面を示す背面斜視図。
【図６】図１の車両用装着装置の主要部分である装着部と装着加圧部の作動状態を示す作動状態図。
【図７】図１の車両用装着装置を送風グリルに装着するために弾性部に弾性支持された位置を加圧して間隔を広げた状態を示す使用状態図。
【図８】図７の車両用装着装置の弾性部を加圧して間隔が広くなった状態で送風グリルに挿入支持する状態を示す使用状態図。
【図９】図８の車両用装着装置を送風グリルに挿入支持した状態で、弾性力の加圧力を除去すれば、弾性部によって広がった間隔が縮小されながら、送風グリルに装着した状態を示す使用状態図。
【発明を実施するための形態】
【００２７】
以下、本発明が属する技術分野において通常の知識を有する者が本発明を容易に実施することができる程度に本発明の好ましい実施例を添付された図面を参照して詳細に説明すれば次の通りである。
実施例を説明する際に、本発明が属する技術分野において、本発明と直接関係のない公知の技術内容については説明を省略する。これは、不必要な説明を省略することにより、本発明の要旨を曖昧にしないで、より明確に伝達するためである。
同理で、添付図面において、一部構成要素は誇張されたり省略されたり概略的に図示された。また、各構成要素の大きさは実際の大きさを完全に反映するのではない。各図面において、同一または対応する構成要素には同一の参照符号を付与した。
【００２８】
以下、本発明の実施例による車両用装着装置を説明するための図面を参照して、本発明について説明する。
図１は、本発明の一実施例による車両用装着装置の設置状態を示す一部分解斜視図であり、図２は図１の車両用装着装置の主要部分である着脱支持部と弾性部を示す分解斜視図であり、図３は図１の車両用装着装置の主要部分である着脱加圧部を示す斜視図であり、図４は図３の車両用装着装置の主要部分である着脱加圧部の底面を示す底面斜視図であり、図５は図１の車両用装着装置の主要部分である装着部と装着加圧部の背面を示す背面斜視図であり、図６は図１の車両用装着装置の主要部分である装着部と装着加圧部の作動状態を示す作動状態図であり、図７は図１の車両用装着装置を送風グリルに装着するために弾性部に弾性支持された位置を加圧して間隔を広げた状態を示す使用状態図であり、図８は図７の車両用装着装置の弾性部を加圧して間隔が広くなった状態で送風グリルに挿入支持する状態を示す使用状態図であり、図９は図８の車両用装着装置を送風グリルに挿入支持した状態で弾性力の加圧力を除去すると、弾性部によって広がった間隔が縮小されながら送風グリルに装着した状態を示す使用状態図である。
【００２９】
図１〜図９によれば、本発明の一実施例による車両用装着装置１００は、車両の内部に外部の空気、エアコンで生成される冷風、及びヒーターで発生される温風を方向を調節しながら供給するように、複数のバー形態で設置されている送風グリル１０に、使用者の操作によって着脱可能に設置されて、携帯電話、ナビゲーションなどの電子機器、香水などのようなアクセサリー装着物を装着させる装置である。
【００３０】
上述した車両用装着装置１００は車両の送風グリル１０に装着される時、送風グリル１０の一側に位置して挿入支持される着脱支持部１１０、着脱加圧部１２０、弾性部１３０、装着部１４０及び装着加圧部１５０を含む。着脱支持部１１０は送風グリル１０に設置される時、一側に位置する支持本体１１１、スライド突起１１２、支持ブラケット１１４、支持突起１１６、弾性支持ブラケット１１７及び弾性支持体１１９を含む。
【００３１】
支持本体１１１は、送風グリル１０に設置される時、一側に配置されており、着脱加圧部１２０の内部に挿入されて上下にスライドされるように備えられる。支持本体１１１は送風グリル１０で装着物が設置される一側に設置されるように備えられる。
【００３２】
スライド突起１１２は支持本体１１１の両側に突出されており、支持本体１１１の両側から着脱加圧部１２０に挿入されて上下に移動されることを案内するように突出して備えられる。スライド突起１１２は着脱加圧部１２０の内部で上下に摺動されることを案内するように突出して、支持本体１１１を着脱加圧部１２０の内部に設置する時に挿入されながら、着脱加圧部１２０と上下にスライドされることを案内するように備えられる。
【００３３】
スライド突起１１２の両側にそれぞれ突出した位置で他側から一側方向に断面積が縮小されるように傾斜した突起傾斜部１１３が形成され、スライド突起１１２が着脱加圧部１２０にスライドされるように挿入結合する時に結合が容易になるよう傾斜される。
【００３４】
支持ブラケット１１４は支持本体１１１の下部で他側に突出して配置され、他側方向が開放され、一側と上下が閉鎖されて送風グリル１０に設置する際に挿入支持される支持空間１１５を有する。支持ブラケット１１４は、支持本体１１１の下部で送風グリル１０の方向である他側に突出してバー形態の送風グリル１０が挿入される他側方向が開放され、送風グリル１０に挿入される時一側と上下部が支持されるように閉鎖された支持空間１１５を形成して着脱支持部１１０で送風グリル１０に支持される時、上下と一側を支持して装着物の重量を支持する支持力を向上することができる。
【００３５】
支持突起１１６は、支持ブラケット１１４の内部で突出しており、支持空間１１５の内部で上下に対向する方向に突出して、送風グリル１０に挿入される時突出部分が係止支持されて離脱が防止されるとともに支持力が向上されるように備えられる。
【００３６】
弾性支持ブラケット１１７は支持本体１１１の上部で一側に突出して配置されて、弾性部１３０の上部に位置して弾性支持されるように備えられる。
【００３７】
弾性支持ブラケット１１７の中央に弾性部１３０が挿入された状態で上部が固定されるように貫通された弾性挿入孔１１８が形成される。弾性支持ブラケット１１７は弾性部１３０が設置される一側に上部位置に突出して弾性挿入孔１１８に挿入された状態で弾性挿入孔１１８に締結支持されるように設置されて、着脱加圧部１２０に弾性力を加える弾性部１３０の上部を支持するように設置される。
【００３８】
弾性支持体１１９は、弾性支持ブラケット１１７の下部方向に突出しており、弾性部１３０の外周で上部の一部を囲んで、外部に離脱されることを防止するように備えられる。弾性支持体１１９は、弾性支持ブラケット１１７の下部に設置されて弾性部１３０の上部を支持して離脱を防止するように下部方向に突出して備えられる。
【００３９】
着脱加圧部１２０は、支持本体１１１が摺動するように挿入される加圧本体１２１、加圧ブラケット１２６、加圧作動体１２８及び作動ブラケット１２９を含む。加圧本体１２１は、送風グリル１０に設置する際に一側に配置されており、上部に装着部１４０が挿入支持され、下部に支持本体１１１が弾性部１３０で弾性支持されて上下にスライド支持されるように備えられる。
【００４０】
加圧本体１２１の上部には、上部が開放され、内部の一部に装着部１４０が挿入支持される収納空間１２２が形成される。収納空間１２２は装着物が装着られる装着部１４０が挿入支持される空間の形態で備えられる。
【００４１】
加圧本体１２１の一側には収納空間１２２の一側で一部が一側方向に開放されて装着部１４０の連結される部分が挿入される収納挿入溝１２３が形成される。収納挿入溝１２３は、収納空間１２２の一側の上部一部が開放されて、装着部１４０が連結される部分が挿入される溝形態に備えられる。
加圧本体１２１には下部から上部に一部貫通して支持本体１１１が上下に摺動するように挿入されるスライド空間１２４が形成され、スライド空間１２４で対向する両側にそれぞれ上下に移動されることを案内するようにスライド突起１１２が挿入される溝形態のスライド溝１２５が形成される。支持本体１１１が上下にスライドするように加圧本体１２１の下部から上部に一部貫通されたスライド空間１２４に挿入されると、スライド突起１１２がスライド溝１２５に挿入されながら、上下に摺動されることが案内されることができる。
【００４２】
ここで、加圧本体１２１のスライド突起１１２が挿入されるスライド溝１２５には、突起傾斜部１１３と対応するように他側から一側に断面積が拡大される溝傾斜部１２５ａを形成して支持本体１１１が加圧本体１２１にスライドして結合される時、突起傾斜部１１３と溝傾斜部１２５ａが対応しながら、スライド突起１１２が他側から一側にスライド溝１２５に加圧して直接挿入設置されるように備えられる。つまり、上下に摺動するために案内されるスライド突起１１２とスライド溝１２５にそれぞれ突起傾斜部１１３と溝傾斜部１２５ａをそれぞれ形成して支持本体１１１を加圧本体１２１にスライド結合する時、傾斜位置を直接加圧して設置することができて、容易に設置することができる。
【００４３】
加圧ブラケット１２６は加圧本体１２１の上部で他側に突出しており、支持ブラケット１１４の対向する上部に位置して加圧本体１２１と一緒に上下に摺動されながら、弾性部１３０の弾性力で送風グリル１０に挿入されて加圧支持するように備えられる。加圧ブラケット１２６は、送風グリル１０に装着装置１００を装着する時、支持ブラケット１１４が送風グリル１０を支持した状態で、弾性部１３０の弾性力によって上部から下部に加圧しながら加圧力によって支持された状態を保持し、着脱時に使用者の操作によって加圧本体１２１を上部方向に摺動させて加圧力を解除した状態で容易に着脱させるように作動される。
【００４４】
加圧ブラケット１２６の下部面には、下部が開放され、両側の上部が閉鎖されて送風グリル１０が挿入される加圧空間１２７を形成する。加圧空間１２７は、装着装置１００を装着する際に送風グリル１０が挿入された状態で加圧される上部と両側面をそれぞれ接触支持することにより支持力が向上されることができる。
【００４５】
加圧作動体１２８は、加圧本体１２１の下部で一側に突出しており、弾性支持ブラケット１１７と対向する下部に位置して加圧本体１２１と一緒に上下に摺動されながら、弾性部１３０の下部に弾性支持されて加圧ブラケット１２６を下部に加圧する加圧力が作用するように備えられる。
【００４６】
加圧作動体１２８は、弾性支持ブラケット１１７で支持された弾性部１３０の下部に弾性支持されて、支持本体１１１にスライド結合された加圧本体１２１を下部に移動させる弾性力が作用するように備えられる。装着装置１００の着脱時には、使用者が弾性支持ブラケット１１７と一緒に加圧作動体１２８を把持した状態で、弾性部１３０を圧縮する操作をすれば、弾性支持ブラケット１１７が上部方向に移動され、弾性支持ブラケット１１７と一緒に加圧本体１２１が上部に移動するように下部に作用する弾性力が解除される。
【００４７】
作動ブラケット１２９は、加圧作動体１２８の上部方向に突出しており、弾性部の外周で下部の一部を囲んで、外部に離脱されることを防止するように備えられる。
【００４８】
弾性部１３０は、弾性支持ブラケット１１７と加圧作動体１２８との間に設置される弾性体１３１、及び弾性固定体１３２を含む。弾性体１３１は、弾性支持ブラケット１１７と加圧作動体１２８とを相互弾性支持するように配置されており、弾性支持ブラケット１１７の弾性挿入孔１１８に挿入支持された状態でスライド結合された加圧作動体１２８に加圧される加圧力を提供するように備えられる。加圧作動体１２８に作用する弾性力は摺動される加圧本体１２１を介して加圧ブラケット１２６に伝達されて、送風グリル１０に加圧固定させるように備えられる。
【００４９】
弾性固定体１３２は、弾性支持ブラケット１１７の弾性挿入孔１１８に位置するように配置されており、弾性支持ブラケット１１７の弾性挿入孔１１８に締結固定されるように設置されて、弾性挿入孔１１８に挿入される弾性体１３１の弾性力が弾性支持ブラケット１１７に作用するように設置される。
【００５０】
装着部１４０は、加圧本体１２１に挿入設置される装着支持本体１４１、角度調整ボール１４３、装着本体１４４及び装着突起１４７を含む。装着支持本体１４１は、装着物を装着するために加圧本体１２１の収納空間１２２に挿入支持され、分解時には引き出せるように板状に備えられる。
【００５１】
角度調節ボール１４３は、装着支持本体１４１の一側に配置されており、支持本体１１１の一側に突出されて加圧本体１２１の挿入時に、収納挿入溝１２３に挿入されながら、一側に突出される支持連結バー１４２で連結されて角度の調節を支持するボール形態で備えられる。
【００５２】
装着本体１４４は、装着支持本体１４１の一側に配置されており、一側面には装着物が装着される装着空間１４６が形成され、他側には角度調節ボール１４３の一部が挿入されて角度調節が可能に支持されるボール挿入溝１４５が形成される。装着本体１４４は、一側面に形成された装着空間１４６に装着物を装着し、他側面に形成されたボール挿入溝１４５に角度調節ボール１４３の一部が挿入支持されて装着物を装着した状態で角度調整ボール１４３を中心に回転されながら角度が調節されるように設けられる。
【００５３】
装着突起１４７は、装着本体１４４の一側面の下部に突出されており、装着空間１４６の下部で一側方向に突出されて装着物を装着する際に下部を支持するように突出して備えられる。装着突起１４７は、装着本体１４４の一側に安置される装着物が下部に離脱されることが防止するように係止支持する突出形で備えられる。
【００５４】
装着加圧部１５０は、装着本体１４４の一側方向の両側で装着物を加圧して支持する装着加圧体１５１、装着加圧作動体１５３、作動ギア１５５、及び作動弾性体１５６を含む。装着加圧体１５１は、装着本体１４４の両側に一対で配置されており、装着空間１４６の両側にそれぞれ位置して装着物の両側面をそれぞれ加圧して支持するように一対で設置される。装着加圧体１５１は装着空間１４６の両側面で対向する方向に加圧されながら支持されて、装着物の保持力を向上することができる。
【００５５】
また、一対の装着加圧体１５１にはそれぞれ他側から一側方向に断面積が拡大される加圧傾斜部１５２が形成されて、弾性によって装着物の両側面に支持される時一側方向が互いに対向する方向に突出して装着物が一側に離脱されることが防止するように備えられることができる。
【００５６】
装着加圧作動体１５３は一対の装着加圧体１５１の対向する方向で中央に上下に交差するようにそれぞれ突出されており、装着本体１４４の他側に位置して上下に対向する方向にそれぞれの作動歯車１５４が設けられる。装着加圧作動体１５３は、一対の装着加圧体１５１の一側と他側で上下に交差するように、それぞれ装着本体１４４の他側面にそれぞれ突出して上下に対向する面に作動歯車１５４が作動ギア１５５で噛合って一対の装着加圧体１５１が連動するように設けられる。
【００５７】
作動ギア１５５は、装着本体１４４の他側面の中央に回転可能に配置されており、上下に対向するように交差した装着加圧作動体１５３の作動歯車１５４に噛合って一対の装着加圧体１５１が連動されながら、装着物の両側面に加圧される空間を調節するように設置される。作動ギア１５５は、一対の装着加圧体１５１でそれぞれ突出した装着加圧作動体１５３に作動歯車１５４で噛合って一対の装着加圧体１５１の中の一方の装着加圧体１５１が移動すれば、他方の装着加圧体１５１が一緒に移動されながら、装着加圧体１５１の両側面の支持される空間を調節することができる。
【００５８】
作動弾性体１５６は上下に交差した装着加圧作動体１５３の突出した端部にそれぞれ弾性支持されるように配置されており、一対の装着加圧体１５１の間隔を弾性力で保持するように装着本体１４４と装着加圧作動体１５３との間を弾性支持して装着物の装着時に使用者の操作で間隔が調節された状態で、弾性支持されるように備えられる。作動弾性体１５６は、一対の装着加圧作動体１５３でそれぞれ突出して、互いにそれぞれ交差して位置した突出された端部が装着本体１４４に弾性支持されるように設置されて、一対の装着加圧体１５１が弾性によって間隔を保持するように備えられる。
【００５９】
作動弾性体１５６で弾性支持された一対の装着加圧体１５１は、使用者が一対の装着加圧体１５１の中の一方の装着加圧体１５１を外側に移動すれば、作動ギア１５５で連動される他方の装着加圧体１５１も一緒に外側に移動されて、両側の間隔が広がる。両側の間隔が広がった状態で装着物を収納した後移動される力を解除すれば、作動弾性体１５６の弾性力によって広がった間隔が縮小されながら両側を加圧して装着物を支持するように備えられる。つまり、一対の装着加圧体１５１の中の一方の装着加圧体１５１の移動により一緒に移動し、移動力が解除されると、弾性による加圧力で両側面が一緒に支持されることによって、使用者が片手でワンタッチ作動により装着物を装着することができ、それにより、装着の便利性を向上させることができる。
【００６０】
一方、本明細書及び図面には本発明の好ましい実施例について開示しており、特定用語が用いられたが、これは本発明の技術内容を簡単に説明し、発明の理解に役立つための一般的な意味で用いられたものであって、本発明の範囲を限定するものではない。ここで開示された実施例の他にも本発明の技術的思想に基づいた他の変形例が実施可能であることは本発明が属する技術分野において通常の知識を有する者にとって自明である。
【符号の説明】
【００６１】
１０  送風グリル、１００  車両用装着装置、１１０  着脱支持部、
１１１  支持本体、１１２  スライド突起、１１３  突起傾斜部、
１１４  支持ブラケット、１１５  支持空間、１１６  支持突起、
１１７  弾性支持ブラケット、１１８  弾性挿入孔、１１９  弾性支持体、
１２０  着脱加圧部、１２１  加圧本体、１２２  収納空間、
１２３  収納挿入溝、１２４  スライド空間、１２５  スライド溝、
１２５ａ  溝傾斜部、１２６  加圧ブラケット、１２７  加圧空間、
１２８  加圧作動体、１２９  作動ブラケット、１３０  弾性部、
１３１  弾性体、１３２  弾性固定体、１４０  装着部、
１４１  装着支持本体、１４２  支持連結バー、１４３  角度調節ボール、
１４４  装着本体、１４５  ボール挿入溝、１４６  装着空間、
１４７  装着突起、１５０  装着加圧部、１５１  装着加圧体、
１５２  加圧傾斜部、１５３  装着加圧作動体、１５４  作動歯車、
１５５  作動ギア、１５６  作動弾性体。
【図１】
2017504523.tif 000003
【図２】
2017504523.tif 000004
【図３】
2017504523.tif 000005
【図４】
2017504523.tif 000006
【図５】
2017504523.tif 000007
【図６】
2017504523.tif 000008
【図７】
2017504523.tif 000009
【図８】
2017504523.tif 000010
【図９】
2017504523.tif 000011
【国際調査報告】
2017504523.tif 000012
2017504523.tif 000013
2017504523.tif 000014
2017504523.tif 000015